(57)【要約】【課題】養殖基質が交換可能で、設置場所を海底に確保することができる貝類養殖装置を提供する。【解決手段】海中に沈めて使用する貝類養殖装置であって、複数の養殖基質９の貫通孔にロープ１０を通して形成された養殖手段の掛止具７を、沈設型筐体２内に設けられた非掛止具７に掛止し、養殖手段を着脱可能に設けることにより、養殖手段を取替可能とする。【選択図】図１
2004166523.tif 000002
【特許請求の範囲】
【請求項１】
海中に沈めて使用する貝類養殖装置であって、沈設型筐体内に貝類養殖基質を含む養殖手段を着脱可能に設けることにより、前記養殖手段を取替可能としたことを特徴とする貝類養殖装置。
【請求項２】
前記養殖手段は、複数の養殖基質の貫通孔にロープを通して形成され、ロープの両端に設けられた掛止具を、筐体内面に設けられた被掛止具に掛止することにより、筐体に着脱可能に設けられたことを特徴とする請求項１記載の貝類養殖装置。
【請求項３】
前記養殖手段は、張設されていることを特徴とする請求項１又は２記載の貝類養殖装置。
【請求項４】
前記貝類が、イワガキであることを特徴とする請求項１〜３のいずれかに記載の貝類養殖装置。
【発明の詳細な説明】
【０００１】
【発明の属する技術分野】
本発明は、イワガキ、マガキ等のカキ、モガイ、アコヤガイ、ホタテガイ等の貝類及びワカメ、こんぶ等の海藻類の養殖装置に関し、貝類の養殖に好適な貝類養殖装置である。
【０００２】
【従来の技術】
従来の貝類養殖方法には主として、海面からの垂下式がある（例えば、特許文献１参照）。この養殖方法は、浮遊幼生を付着させた貝殻、プラスチック等の採苗器に縄又は針金を通して「連」とし、この連を海面上のいかだ等につるし、貝を成長させるというものである。海面に近いところでは、採苗器に多くの不用な付着物が付着し、採苗器の清掃の頻度が多く、新しいものと交換しなければならない。
【０００３】
また、海底での貝類の養殖は、貝類等の浮遊幼生を鋼製又はコンクリート製の構造物の表面に付着させることにより実施されていた。この方法によると、表面が新しい状態のときには、順調にその表面に貝類の種苗が付着するが、使用を繰り返すうちに成長後の貝類採取による残骸物やその他のものが付着し、浮遊幼生が付着しにくくなってしまう。
【０００４】
【特許文献１】
特開平１１−３２６１８号公報（段落０００８〜００１０）
【０００５】
【発明が解決しようとする課題】
しかしながら、上記方法によると、海面にいかだ等を浮かせなければならないため、船舶の航行上の障害となってしまう。また、湾内では、利用可能な海面は少なく、設置場所を確保することは困難であった。
【０００６】
そこで、本発明は、上記に鑑み、養殖基質が交換可能で、設置場所を容易に確保することができる貝類養殖装置の提供を目的とする。
【０００７】
【課題を解決する為の手段】
上記目的を達成するため、本発明は、海中に沈めて使用する貝類養殖装置であって、沈設型筐体内に貝類養殖基質を含む養殖手段を着脱可能に設けることにより、前記養殖手段を取替可能としたことを特徴とする貝類養殖装置を提供するものである。
【０００８】
沈設型筐体は、沈設可能で、筐体内に養殖手段を内包し、養殖手段を着脱自在に保持可能な構造であればよい。筐体を沈設可能とする手段としては例えば筐体に錘を設けて重力により沈設させてもよいし、筐体を海底に固定させてもよい。
【０００９】
養殖基質とは、貝類の浮遊幼生が付着し、生育する場となるものであり、養殖基質としては、ホタテやカキ等の貝殻、プラスチック、竹、そだ、瓦、石、コンクリート等が挙げられるが、カキには貝殻又はプラスチックを使用するのが好ましい。養殖基質は、種苗生産用の採苗器も含む概念であり、また、浮遊幼生の付着は、自然着床及び人工着床のいずれであってもよい。
【００１０】
養殖手段は、養殖基質を備えており、筐体内面に着脱可能に固定される。養殖手段を筐体に着脱可能に固定する方法としては、養殖手段を筐体に掛止する方法や締結する方法等種々の方法をとっても構わない。
【００１１】
また、養殖手段は、筐体内に張設されている。これにより、隣接する養殖手段の養殖基質同士が接触しないので、養殖基質が損傷しないですむ。
【００１２】
上記の構成によると、養殖手段が筐体に着脱可能に設けられているので、養殖基質に不用な付着物が大量につくなどして浮遊幼生が付着しにくくなった場合には、養殖手段を取り外して新しい養殖手段に取り替えることができる。これにより、浮遊幼生の付着しやすい環境を保つことができる。
【００１３】
また、本貝類養殖装置は、その全体を海中に沈設して使用するので、船舶航行上の障害とならないですむ。また、海中を立体的に使用することができるので、海面に設置するよりも設置場所を確保しやすい。
【００１４】
具体的には、養殖手段は、複数の養殖基質の貫通孔にロープを通して形成され、ロープの両端に設けられた掛止具を、筐体内面に設けられた被掛止具に掛止することにより、筐体に着脱可能に設けられる。
【００１５】
掛止具及び被掛止具は、一方が他方に掛止可能な構造のものであればよく、例えば、一方を鉤状部材とすれば、他方を鉤状部材又は環状部材とする。両者をひっかっけるだけで簡単に養殖手段を筐体に取り付けることができ、その固定力も高い。また、簡単に取り外すこともできる。
【００１６】
本貝類養殖装置は、イワガキの養殖に使用することができるが、その他、マガキ等のカキ、モガイ、アコヤガイ、ホタテガイ等の貝類及びワカメ、こんぶ等の海藻類等の付着生物に使用することができる。
【００１７】
【発明の実施の形態】
以下、本発明の実施形態を図面に基づいて説明する。なお、本実施形態は、本貝類養殖装置をイワガキの養殖用に用いた場合を示している。図１は本実施形態の貝類養殖装置の斜視図、図２は筐体の正面図、図３は筐体の平面図、図４は養殖手段を示す図、図５は他の実施形態の養殖手段を示す図、図６は他の実施形態の養殖手段を示す図、図７は養殖基質の断面図、図８は養殖基質の貫通孔の断面図、図９は被掛止具を示す図、図１０は横揺れ防止ロープ用のＵ字部材を示す図である。
【００１８】
図１に示すように、本貝類養殖装置は、土台１の上に筐体２が固定され、該筐体２内に複数の養殖手段が収容されて構成される。土台１は、２枚の肉厚の鋼片がすきまをあけて並べられて構成され、筐体２を海底に沈設するための錘の役割を果たす。また、土台１の四方の角に鋼製の爪１ａが下方向に突設されており、この爪１ａが海底面へ突き刺されることにより、本貝類養殖装置の設置時の安定性を図ることができる。
【００１９】
筐体２は、４本の支柱３と、隣接する支柱３を連結する横棒材４とが溶接固定されることにより構成され、筐体２底面が土台１上面に溶接固定される。支柱３及び横棒材４は、断面Ｌ字状の鋼材からなる。
【００２０】
横棒材４は、土台１に立設される支柱３の上端間を連結する４本の上段横棒材４ａと、支柱３の下端間を連結する４本の下段横棒材４ｂと、上段横棒材４ａ及び下段横棒材４ｂの間に設けられる４本の中１段横棒材４ｃ及び４本の中２段横棒材４ｄとからなる。下段横棒材４ｂと支柱３との固定部分には補強板５が溶接固定される。支柱３の上端角部には、Ｕ字型の吊りフック６が固定され、本貝類養殖装置の海中投入時又は引き上げ時にロープ等をひっかける際に使用される。
【００２１】
上段横棒材４ａ、中１段横棒材４ｃ及び中２段横棒材４ｄには、養殖手段に設けられる掛止具７を掛止するための鋼製の被掛止具８が設けられる。被掛止具８は、左右の上段横棒材４ａ及び中２段横棒材４ｄに数列設けられ、また、前後の中１段横棒材４ｃに数列設けられる。
【００２２】
被掛止具８は、角材８ａとＵ字部材８ｂとからなり、図９に示すように、角材８ａが横棒材４の内面角部に溶着固定され、Ｕ字部材８ｂの一端８ｃが横棒材４の上方に現れるように、Ｕ字部材８ｂの他端８ｄが角材８ａに溶着固定される。Ｕ字部材８ｂの一端８ｃと横棒材４の上面との間には、掛止具７を挿入可能な程度の隙間が設けられる。なお、筐体の構造は上記形態に限定されるものではなく、筐体が沈設可能で、筐体内に養殖手段を内包し、養殖手段の掛止部７を掛止する被掛止具８が設けられた構造であればよい。また、筐体の大きさも限定されるものではない。
【００２３】
養殖手段は、複数の養殖基質９と、養殖基質９を保持するロープ１０と、ロープ１０の両端に設けられた掛止具７とからなる。養殖基質９としては、２つの貫通孔が形成されたホタテ貝殻が使用される。貫通孔には、図７及び図８に示すように保護リング９ａが設けられる。保護リング９ａは、ゴム製とされ、保護リング９ａの外周面に設けられた溝に養殖基質９の貫通孔周縁を嵌合させることにより取り付けられる。ロープ１０としては、被覆外形８ｍｍの鉄製の被覆ワイヤロープが使用される。なお、ワイヤの代わりに縄を使用しても構わない。
【００２４】
図４に示すように、養殖手段は、養殖基質９を並べて一方の貫通孔に連続してロープ１０を通した後、他方の貫通孔に連続して通し、ロープ１０の始点と終点とを連結し、輪状にロープ１０を通すことにより、１組の養殖手段が形成される。このとき、養殖基質９と養殖基質９との間のロープ１０を筒状部材１１で被覆すれば、該筒状部材１１が養殖基質９のスペーサとしての役割を果たし、養殖基質９の位置固定をすることができる。筒状部材１１としては、ホースを使用するのが好ましい。
【００２５】
ロープ１０の両端には、掛止具７が設けられる。ロープ１０の一端側には、ロープコース７ａ及びシャックル７ｂが設けられ、シャックル７ｂにチェーン７ｃが取り付けられ、そのチェーン７ｃの輪を利用して、筐体２の被掛止具８に掛止される。またロープ１０の他端側は、ロープコース７ａ及びシャックル７ｂが設けられ、シャックル７ｂに両端丸型のターンバックル７ｄが設けられ、ターンバックル７ｄの環状部分が筐体２の被掛止具８に掛止される。このように、掛止具７を被掛止具８にひっかけるだけで容易に養殖手段を筐体２に取り付けることができるものである。また、ターンバックル７ｄでロープ１０の張度を調節できるので、張度を高めることにより養殖基質９を筐体２に強固に固定することが可能となり、また、張度を緩めることにより養殖手段の取り外しが容易となる。また、張度を高めて張設することにより、隣接するイワガキが衝突し合うのを防げる。なお、１組の養殖手段中の養殖基質９の枚数と、筐体２内に設ける養殖手段の組数は限定されるものではない。
【００２６】
また、図１０に示すように、養殖手段のロープ１０と直交する方向に、ロープ１０の横揺れを防止するための横揺れ防止ロープ１２が設けられる。前後の上段横棒材４ａ及び中２段横棒材４ｄと、左右の中１段横棒材４ｃとの上面に、鋼製の横揺れ防止ロープ１２用のＵ字部材１３が溶着固定されており、該Ｕ字部材１３に、横揺れ防止ロープ１２の端部に設けられたシャックルが掛止されて設けられる。横揺れ防止ロープ１２が、養殖手段のロープ１０と結ばれることにより、横揺れを防止でき、隣接するイワガキが衝突し合うのを防げる。
【００２７】
上記の構成の本貝類養殖装置の使用方法を説明する。まず、筐体２の支柱３及び横棒材４との間（開口）から、筐体２内に養殖手段を取り付ける。すなわち、養殖手段のロープ１０のターンバックル７ｄを緩めておき、端部のチェーン７ｃ及びターンバックル７ｄの環状部分を、筐体２の被掛止具８のＵ字部材８ｂに掛止する。掛止された掛止具７は、図９に示すように、Ｕ字部材８ｂと横棒材４の内面との空間に納まり、外れにくい。ターンバックル７ｄでロープ１０の張度を高めることにより、さらに掛止具７が被掛止具８から外れにくくできる。次に、横揺れ防止ロープ１２を養殖手段の各ロープ１０に結び、筐体２のＵ字部材１３に端部のシャックル７ｂを掛止する。Ｕ字型の吊りフック６にロープ等を取り付けて、本貝類養殖装置を海中に投入し、海底に沈設する。
【００２８】
海底に本貝類養殖装置を一定期間沈設しておくと、養殖手段の養殖基質９に、貝類の浮遊幼生が自然着床し、養殖基質９において貝類が成長する。
【００２９】
成長した貝類の収穫時には、養殖手段のターンバックル７ｄを緩め、掛止具７と被掛止具８との掛止状態を解除し、養殖手段を筐体２から取り外し、養殖手段ごと引き上げる。その後、貝類を養殖するときは、また、別の新しい養殖手段を筐体２に取り付けて使用することができる。なお、上記では、貝類浮遊幼生の着床していない養殖基質９を本貝類養殖装置に取り付け、海底設置時において自然着床させたが、先に人工的に養殖基質９に貝類幼生を付着させた後、本貝類養殖装置に取り付けて、海底に設置しても構わない。
【００３０】
上記の構成によれば、本貝類養殖装置は、海中に設置することができるので、設置場所に困ることがない。また、イワガキが十分に成長した場合は、養殖手段を取り外して収穫することができ、養殖基質９に多数の不要な付着物が付着したときには新しい養殖手段を筐体２に取り付けることができるので、養殖基質９への浮遊幼生の付着性を低下させないですむ。
【００３１】
また、養殖手段は、その貫通孔に保護リング９ａが設けられているので、養殖基質９の耐久性を向上させることができる。また、養殖基質９に２つの貫通孔を設け、２点で養殖基質９を支持しているので、養殖基質９の貫通孔に負荷がかかりにくく、耐久性を上げることができる。
【００３２】
なお、本発明は上記実施形態に限定されるものではなく、本発明の範囲内で上記実施形態に多くの修正及び変更を加え得ることは勿論である。例えば、上記実施形態では、養殖手段のロープ１０の端部に、ロープコース７ａ及びシャックル７ｂの他にチェーン７ｃ又はターンバックル７ｄを設けたが、チェーン７ｃ又はターンバックル７ｄを設けずに、図５に示すように、シャックル７ｂを直接、筐体２の被掛止具８に掛止するようにしてもよい。
【００３３】
また、上記実施形態では、ロープ１０の両端に掛止具７を設けたが、図６に示すように、養殖手段の両端の輪部自体を掛止具７として、その輪部を筐体２の被掛止具８に掛止するようにしてもよい。
【００３４】
【発明の効果】
以上の説明から明らかな通り、本発明によると、養殖手段が筐体に着脱可能に設けられているので、養殖基質に不用な付着物が大量につくなどして、養殖基質に種苗が付着しにくくなった場合には、養殖手段を取り外して新しい養殖手段に取り替えることができる。種苗の付着しやすい環境を保つことができる。
【００３５】
また、本貝類養殖装置全体を海中に沈設して使用するので、船舶航行上の障害とならない。海中を立体的に使用することができるので、海面に設置するよりも設置場所を確保しやすい。
【図面の簡単な説明】
【図１】本実施形態の貝類養殖装置の斜視図
【図２】筐体の正面図
【図３】筐体の平面図
【図４】養殖手段の側面図
【図５】他の実施形態の養殖手段の側面図
【図６】他の実施形態の養殖手段の側面図
【図７】養殖基質の断面図
【図８】養殖基質の貫通孔の断面図
【図９】被掛止具を示す図
【図１０】横揺れ防止ロープ用のＵ字部材を示す図
【符号の説明】
１    土台（重錘）
２    筐体
３    支柱
４    横棒材
７    掛止具
８    被掛止具
９    養殖基質
１０  ロープ
【図１】
2004166523.tif 000003
【図２】
2004166523.tif 000004
【図３】
2004166523.tif 000005
【図４】
2004166523.tif 000006
【図５】
2004166523.tif 000007
【図６】
2004166523.tif 000008
【図７】
2004166523.tif 000009
【図８】
2004166523.tif 000010
【図９】
2004166523.tif 000011
【図１０】
2004166523.tif 000012